(57)【要約】【課題】収容した物品が脱落しにくい電動工具を提供する。【解決手段】電動工具１は、モータ１１と、ビット取付部１２と、本体部１４と、ハンドル部１５と、ベース部３０と、収容部６０と、を備える。ビット取付部１２は、ビット１８が取付可能である。本体部１４は、モータ１１を収納し、ビット取付部１２を有する。ハンドル部１５は、本体部１４より延びている。ベース部３０は、ハンドル部１５に設けられ、電池パック３１を装着可能である。収容部６０は物品が収容可能である。収容部６０は、ベース部３０と、ベース部３０に装着された電池パック３１と、の間の空間を含む。収容部６０の蓋体６１を備える。【選択図】図１
2020163540.tif 000002
【特許請求の範囲】
【請求項１】
モータと、
ビットが取付可能なビット取付部と、
前記モータを収納し、前記ビット取付部を有する本体部と、
前記本体部より延びるハンドル部と、
前記ハンドル部に設けられ、電池パックを装着可能なベース部と、
物品が収容可能な収容部と、を備え
前記収容部は、前記ベース部と、前記ベース部に装着された前記電池パックと、の間の空間を含み、
前記収容部の蓋体を備える、
電動工具。
【請求項２】
前記蓋体は、前記ベース部と、前記ベース部に装着された前記電池パックと、の間に配置される、
請求項１に記載の電動工具。
【請求項３】
前記蓋体は、前記本体部からの前記ハンドル部の延びる方向を軸として回転自在に形成されている、
請求項１又は２に記載の電動工具。
【請求項４】
前記ベース部は前記電池パックとの結合部を有し、
前記収容部は前記結合部の側方に配置される、
請求項１〜３のいずれか１項に記載の電動工具。
【請求項５】
前記収容部に収容された前記物品は、前記ベース部から前記電池パックに向かう方向で前記収容部から取り出される、
請求項１〜４のいずれか１項に記載の電動工具。
【請求項６】
前記収容部は前記ベース部の左右方向の両側に設けられている、
請求項１〜５のいずれか１項に記載の電動工具。
【請求項７】
前記物品が前記ビットである、
請求項１〜６のいずれか１項に記載の電動工具。
【発明の詳細な説明】
【技術分野】
【０００１】
本開示は、一般に電動工具に関し、より詳細には、電池パックを備える電動工具に関する。
【背景技術】
【０００２】
特許文献１には、取り外し可能な物体センサを備えた手持ち工具が記載されている。この工具は、ハウジングと、取付部材と、取付部材から取り外し可能な物体センサと、を備えている。また工具は、有用な物体を収容するために用いられるトレイを備えている。トレイには、例えば、ドリルビット、ねじ（スクリュ）、及び、それらに類似するものが収容される。
【先行技術文献】
【特許文献】
【０００３】
【特許文献１】特表２００５−５０９５３５号公報
【発明の概要】
【発明が解決しようとする課題】
【０００４】
しかし、特許文献１の工具では、ドリルビットが外部に露出した状態でトレイに収容されているため、作業中にドリルビットが周囲の物体に当たって不用意な衝撃を受けることがあり、ドリルビットが脱落しやすい、という問題があった。
【０００５】
本開示は、上記事由に鑑みてなされており、収容した物品が脱落しにくい電動工具を提供することを目的とする。
【課題を解決するための手段】
【０００６】
本開示の一態様に係る電動工具は、モータと、ビット取付部と、本体部と、ベース部と、収容部と、を備える。ビット取付部は、ビットが取付可能である。本体部は、前記モータを収納し、前記ビット取付部を有する。ハンドル部は、前記本体部より延びている。ベース部は、前記ハンドル部に設けられ、電池パックを装着可能である。前記収容部は、物品が収容可能である。前記収容部は、前記ベース部と、前記ベース部に装着された前記電池パックと、の間の空間を含む。前記収容部の蓋体を備える。
【発明の効果】
【０００７】
本開示によれば、収容した物品が脱落しにくい、という利点がある。
【図面の簡単な説明】
【０００８】
【図１】図１は、本開示に係る電動工具の一実施形態を示す側面図である。
【図２】図２は、本開示に係る電動工具の一実施形態を示す正面図である。
【図３】図３は、本開示に係る電動工具の一実施形態を示し、電池パックを外した状態の側面図である。
【図４】図４は、本開示に係る電動工具の一実施形態を示す電池パックの斜視図である。
【図５】図５は、本開示に係る電動工具の一実施形態を示す底面図である。
【図６】図６は、本開示に係る電動工具の一実施形態を示す下方から見た斜視図である。
【図７】図７は、本開示に係る電動工具の一実施形態を示す下方から見た斜視図である。
【発明を実施するための形態】
【０００９】
（実施形態）
図１及び図２に示すように、本実施形態に係る電動工具１は、モータ１１と、ビット取付部１２と、本体部１４と、ハンドル部１５と、ベース部３０と、収容部６０と、を備える。すなわち、モータ１１と、本体部１４と、ハンドル部１５と、ベース部３０と、収容部６０は、電動工具１の構成要素である。電動工具１は、更に、モータ１１及び動力伝達部１３の動作を制御する制御部を備える。
【００１０】
ビット取付部１２はビット１８が取付可能である。すなわち、本実施形態に係る電動工具１は、ビット（先端工具）１８を取り付けるためのビット取付部１２を備える。ビット取付部１２に装着可能なビット１８は、ドライバービット、タップ及びドリルビットなどである。そして、モータ１１の軸部１１１が回転すると、動力伝達部１３が駆動され、動力伝達部１３の駆動により出力軸１３１が回転する。出力軸１３１の回転によりビット取付部１２が回転し、これにより、ビット取付部１２に装着された先端工具がビット取付部１２の回転により回転する。
【００１１】
本体部１４は、モータ１１を収納し、ビット取付部１２を有する。すなわち、モータ１１は本体部１４の内部に収納されている。またビット取付部１２は本体部１４の先端に設けられている。本体部１４は前後方向に延びる筒状に形成されている。本体部１４は、モータ１１及び動力伝達部１３とを収納している。すなわち、本体部１４の内部には、電池パック３１の電池セルによって駆動されるモータ１１及び動力伝達部１３が配置されている。
【００１２】
ハンドル部１５は、本体部１４より延びている。つまり、ハンドル部１５は、本体部１４より下方向に延びている。ハンドル部１５は、本体部１４の周面のうち下側から上下方向に沿って突出している。
【００１３】
ベース部３０は、ハンドル部１５に設けられ、電池パック３１をスライドさせて装着可能である。すなわち、本実施形態に係る電動工具１は、ハンドル部１５の下端にベース部３０を備える。またベース部３０には、電池パック３１が前後方向にスライド移動させて取り付け又は取り外し可能に形成されている。ベース部３０は、下面が開口した箱状に形成されている。ベース部３０の下面には、電池パック３１に設けた通信用コネクタ３２と接続されるコネクタ部８１が設けられている。またベース部３０の下面には、電池パック３１に設けた端子部３３と電気的に接続される端子片８２が設けられている。さらにベース部３０の下面には、電池パック３１に設けた係合部３４と引っ掛けられる複数の結合部８０が設けられている。
【００１４】
なお、本実施形態では、モータ１１の軸部１１１の軸方向を電動工具１の前後方向として説明する。また本実施形態では、前後方向と直交し、本体部１４からのハンドル部１５の突出方向に沿った方向を上下方向として説明する。また本実施形態では、前後方向及び上下方向と直交する電動工具１の幅方向を左右方向として説明する。
【００１５】
動力伝達部１３は、モータ１１によって駆動される。すなわち、動力伝達部１３は、モータ１１の回転を利用して先端工具を回転駆動する。つまり、動力伝達部１３は、モータ１１の回転駆動を出力軸１３１に伝達する機構を有する。本実施形態に係る電動工具１では、動力伝達部１３は、減速機構、クラッチ機構、インパクト機構等を含んでいてもよい。動力伝達部１３はモータ１１の軸部１１１と連結されている。また動力伝達部１３は出力軸１３１と連結されている。出力軸１３１は本体部１４の前側に露出されるビット取付部１２と連結されている。
【００１６】
トリガスイッチ１６は、ハンドル部１５の上部前方に配置されている。すなわち、トリガスイッチ１６は、ハンドル部１５の上部で前部に設けられている。トリガスイッチ１６は一部がハンドル部１５の内部に引き込む手動操作を受け付ける。トリガスイッチ１６は、例えば、メカニカルスイッチである。トリガスイッチ１６は、手動操作がされると開閉する。
【００１７】
正逆切替部５１は、使用者が操作可能でモータ１１の正転と逆転とを切り替えるスライドスイッチを含む。すなわち、使用者は正逆切替部５１を操作することによりモータ１１の回転方向を切り替えることができる。正逆切替部５１は本体部１４の下部で、トリガスイッチ１６の後方に設けられている。正逆切替部５１は左右方向にスライドするように移動自在に形成されている。正逆切替部５１は、電動工具１を前方から見たときに、本体部１４の左右のいずれか一方の側面に突出する状態と、本体部１４の左右のいずれか他方の側面に突出する状態との間でスライド移動する。
【００１８】
複数の発光部１７は、トリガスイッチ１６と本体部１４との間に位置する。すなわち、トリガスイッチ１６と本体部１４との間で挟まれて複数の発光部１７は位置している。複数の発光部１７は、トリガスイッチ１６の直ぐ上側に位置し、かつ本体部１４の直ぐ下側に位置する。
【００１９】
本実施形態に係る電動工具１には、ベース部３０の下面に対して、充電式の電池パック３１が着脱可能に取り付けられる。電動工具１は、電池パック３１を電源として動作する。電池パック３１は、複数の二次電池（例えば、リチウムイオン電池）を直列接続して構成された組電池と、組電池を収容したケースと、を備えている。
【００２０】
図４に示すように、電池パック３１は、電池パック３１の情報を示す電池情報を通信するための、通信用コネクタ３２を備える。通信用コネクタ３２はベース部３０の下面に設けたコネクタ部８１と電気的に接続される。電池情報には、例えば、温度情報、残容量情報、定格電圧情報、定格容量情報、回数情報等が含まれる。また電池パック３１の上面にはベース部３０に設けた端子片８２と電気的に接続される端子部３３が設けられている。また電池パック３１の上面にはベース部３０に設けた結合部８０と引っ掛け可能な複数の係合部３４が設けられている。また電池パック３１には左右方向に張り出す張出し部３１０が形成されている。
【００２１】
図７に示すように、収容部６０は物品が収容可能である。すなわち、物品は収容部６０に収容される。本実施形態に係る電動工具１は、物品がビット１８である。すなわち、収容部６０は、ビット取付部１２に着脱可能なビット１８が収容可能である。つまり、収容部６０はビット１８が収容可能な容積を有する空間である。収容部６０の前後方向の寸法は、ビット１８の軸方向Ｇの寸法よりも長い。収容部６０の左右方向の寸法（幅）は、ビット１８の直径よりも大きい。
【００２２】
本実施形態に係る電動工具１において、収容部６０に収容されたビット１８は、ベース部３０から電池パック３１の方に向かう方向で収容部６０から取り出される。すなわち、収容部６０は、ベース部３０側が閉じられており、電池パック３１側が開放されている。そして、ベース部３０から電池パック３１を外した状態で、収容部６０に収容されたビット１８が電池パック３１側から取り出される。またビット１８は、ベース部３０から電池パック３１を外した状態で、電池パック３１側から収容部６０に収容される。収容部６０は下方が開放されている。したがって、収容部６０には下方からビット１８を収容することができる。また収容部６０には下方からビット１８を収容することができる。
【００２３】
本実施形態に係る電動工具１において、収容部６０が、ベース部３０と、ベース部３０に装着された電池パック３１と、の間の空間を含む。すなわち、収容部６０は、ベース部３０の下方に形成されている。また収容部６０は、ベース部３０に電池パック３１を取り付けたときに、電池パック３１の上方に位置する。特に、収容部６０は、ベース部３０の左右方向の端部である突出部３０１の下方に位置している。突出部３０１はハンドル部１５よりも左右方向に突出している。突出部３０１は、ベース部３０に内蔵されている制御部を構成する回路基板が大きくなったために形成されている。すなわち、電動工具１の機能が向上すると、それを制御する制御部の回路基板も、回路数の増加などで大きくなるが、大きくなった回路基板を収容するために突出部３０１が形成されている。したがって、本実施形態に係る電動工具１では、突出部３０１の下方の空間を有効利用することができる。また収容部６０は、ベース部３０に装着した電池パック３１の張出し部３１０の上方に位置している。
【００２４】
本実施形態に係る電動工具１は、収容部６０に収容されたビット１８が、ベース部３０と、ベース部３０に装着された電池パック３１と、の間の空間に配置される。すなわち、収容部６０はベース部３０と電池パック３１との間にビット１８を収容する。ベース部３０と、ベース部３０に装着された電池パック３１との間の空間は、従来、利用されていない。本実施形態に係る電動工具１では、従来利用されていない空間にビット１８を収容して有効利用する。
【００２５】
図５に示すように、本実施形態に係る電動工具１は、ベース部３０は電池パック３１との結合部８０を有し、収容部６０は結合部８０の側方に配置される。すなわち、収容部６０は電池パック３１を装着する部分の側方に位置する。これにより、電池パック３１を装着する際に収容部６０が障害になりにくい。
【００２６】
本実施形態に係る電動工具１において、収容部６０は左右方向の両側に設けられている。すなわち、収容部６０は、電動工具１を正面視した状態で、ハンドル部１５の左側と右側にそれぞれ設けられている。これにより、収容部６０が左右方向のいずれか片側に設けられる場合に比べて、有効利用される空間が増加する。すなわち、電動工具１は、左右方向の両側でビット１８を収容することができ、ビット１８の収容効率が向上する。
【００２７】
本実施形態に係る電動工具１は、収容部６０に収容されたビット１８は軸方向Ｇが電池パック３１のスライド方向Ｓに沿って配置される。すなわち、収容部６０に収容されたビット１８において、ビット１８の軸方向Ｇと電池パック３１のベース部３０に対するスライド方向Ｓとが一致する。電池パック３１はベース部３０に取り付け又は取り外しする場合、電池パック３１をベース部３０に対して前後方向にスライド移動させる。一方、ビット１８は収容部６０に収容された状態で、前後方向が軸方向Ｇとなっている。
【００２８】
本実施形態に係る電動工具１は、収容部６０の蓋体６１を備える。すなわち、電動工具１は、収容部６０からのビット１８を脱落しにくくするための蓋体６１が設けられている。蓋体６１は、本体部１４からのハンドル部１５の延びる方向を軸Ｏとして回転自在に形成されている。すなわち、蓋体６１は回転自在に形成され、その回転する際の軸が本体部１４からのハンドル部１５の延びる方向と同じである。ここで、「同じ」とは厳密な意味だけでなく、ほぼ同じ場合を含む。なお、蓋体６１の回転は電動工具１の姿勢によって異なるが、通常、水平にすることができる。軸Ｏは蓋体６１の前部に形成することができる。すなわち、蓋体６１の前部はベース部３０の前部とが回転自在にビス等で取り付けられている。蓋体６１は収容部６０の下側に位置する状態と収容部６０の側方に位置する状態とで回転自在に形成されている。
【００２９】
本実施形態に係る電動工具１において、蓋体６１は、ベース部３０と、ベース部３０に装着された電池パック３１と、の間に配置される。すなわち、電動工具１では電池パック３１とは別体の蓋体６１が用いられている。つまり、収容部６０からのビット１８を脱落しにくくするための蓋体６１は、電池パック３１と別である。これにより、図３に示すように、電池パック３１をベース部３０から取り外した状態であっても、収容部６０からビット１８が脱落しにくくなる。収容部６０に収容されたビット１８の下方には、蓋体６１が位置している。電池パック３１をベース部３０の下面に取り付けた場合に、張出し部３１０が蓋体６１の直ぐ下に位置している。蓋体６１はプラスチック又はゴムなどの弾性体で形成されている。
【００３０】
本実施形態に係る電動工具１は、収容部６０の外方にカバー片６２を更に備える。すなわち、収容部６０は、カバー片６２により、側方が覆われている。カバー片６２により、収容部６０に収容されたビット１８に衝撃が加わりにくくなり、ビット１８が収容部６０から脱落しにくい。つまり、カバー片６２により、収容部６０に収容されたビット１８が保護されて、外部からの衝撃が直接、ビット１８に当たりにくくなる。収容部６０の前側はカバー片６２では覆われておらず、開放されており、電動工具１の前方から収容部６０内が見えて、ビット１８の有無が確認可能である。
【００３１】
カバー片６２は、収容部６０に収容されたビット１８が見える窓部６３を有する。すなわち、カバー片６２には、蓋体６１を開いた状態で、収容部６０にビット１８が収容されているか否かの確認が可能な窓部６３が形成されている。蓋体６１の後端には取っ手部６７が形成されており、蓋体６１で収容部６０が閉じられた状態では、取っ手部６７が窓部６３にはまり込む。窓部６３はカバー片６２の一部を切り欠いて形成することができる。切り欠きにより形成される窓部６３は、ビット１８を収容部６０から取り出す際に、指を入れる部分として利用することができ、ビット１８の取り出しが容易に行える。
【００３２】
本実施形態に係る電動工具１は、収容部６０に収容されたビット１８が、電池パック３１のスライド方向Ｓにおいて、収容部６０から飛び出すのを制限する壁部６６を更に備える。すなわち、壁部６６は、収容部６０に収容されたビット１８が、電池パック３１のスライド方向Ｓにおいて収容部６０から飛び出すのを制限している。壁部６６は収容部６０の後方に位置している。すなわち、収容部６０に収容したビット１８よりも、ハンドル部１５を持っている作業者が居る方に、壁部６６が形成されている。したがって、収容部６０に収容したビット１８が後方に移動しても壁部６６に当たって収容部６０から飛び出しにくい。よって、作業者の安全性が高まる。
【００３３】
（変形例）
実施形態１は、本開示の様々な実施形態の一つに過ぎない。実施形態１は、本開示の目的を達成できれば、設計等に応じて種々の変更が可能である。
【００３４】
また収容部６０は、複数のビット１８を収容できるような容積に形成してもよい。また収容部６０には、ビット１８の他に、ねじなどの部品を収容してもよい。
【００３５】
（まとめ）
以上説明したように、第１の態様に係る電動工具（１）は、モータ（１１）と、ビット取付部（１２）と、本体部（１４）と、ハンドル部（１５）と、ベース部（３０）と、収容部（６０）と、を備える。ビット取付部（１２）は、ビット（１８）が取付可能である。本体部（１４）は、モータ（１１）を収納し、ビット取付部（１２）を有する。ハンドル部（１５）は、本体部（１４）より延びている。ベース部（３０）は、ハンドル部（１５）に設けられ、電池パック（３１）を装着可能である。収容部（６０）は物品が収容可能である。収容部（６０）は、ベース部（３０）と、ベース部（３０）に装着された電池パック（１）と、の間の空間を含む。収容部（６０）の蓋体（６１）を備える。
【００３６】
この態様によれば、収容部（６０）を蓋体（６１）で塞ぐことができ、収容した物品が脱落しにくい、という利点がある。
【００３７】
第２の態様に係る電動工具（１）は、第１の態様において、蓋体（６１）は、ベース部（３０）と、ベース部（３０）に装着された電池パック（３１）と、の間に配置される。
【００３８】
この態様によれば、収容部（６０）を蓋体（６１）で塞ぐことができ、さらに電池パック（３１）でも収容部（６０）に収容した物品を脱落しにくくすることができ、収容した物品が脱落しにくい、という利点がある。
【００３９】
第３の態様に係る電動工具（１）は、第１又は２の態様において、蓋体（６１）は、本体部（１４）からのハンドル部（１５）の延びる方向を軸Ｏとして回転自在に形成されている。
【００４０】
この態様によれば、蓋体（６１）を回転させて収容部（６０）を開閉することができ、収容部（６０）への物品の収容と取り出しを容易に行える、という利点がある。
【００４１】
第４の態様に係る電動工具（１）は、第１〜３のいずれか１つの態様において、ベース部（３０）は電池パック（３１）との結合部（８０）を有する。収容部（６０）は結合部（８０）の側方に配置される。
【００４２】
この態様によれば、電池パック（３１）を装着する際に収容部（６０）が障害になりにくい、という利点がある。
【００４３】
第５の態様に係る電動工具（１）は、第１〜４のいずれか１つの態様において、収容部（６０）に収容された物品は、ベース部（３０）から電池パック（３１）に向かう方向で収容部（６０）から取り出される。
【００４４】
この態様によれば、収容部（６０）に収容した物品を取り出す際にベース部（３０）が障害とならず、収容部（６０）への物品の収容と取り出しを容易に行える、という利点がある。
【００４５】
第６の態様に係る電動工具（１）は、第１〜５のいずれか１つの態様において、収容部（６０）がベース部（３０）の左右方向の両側に設けられている。
【００４６】
この態様によれば、ベース部（３０）の左右の部分を有効利用することができる、という利点がある。
【００４７】
第７の態様に係る電動工具（１）は、第１〜６のいずれか１つの態様において、物品がビット（１８）である。
【００４８】
この態様によれば、ビット取付部（１２）に取り付けるビット（１８）を収容部（６０）に収容することができる、という利点がある。
【符号の説明】
【００４９】
１  電動工具
１１  モータ
１２  ビット取付部
１４  本体部
１５  ハンドル部
１８  ビット
３１  電池パック
３０  ベース部
６０  収容部
６１  蓋体
８０  結合部
Ｏ  軸
【図１】
2020163540.tif 000003
【図２】
2020163540.tif 000004
【図３】
2020163540.tif 000005
【図４】
2020163540.tif 000006
【図５】
2020163540.tif 000007
【図６】
2020163540.tif 000008
【図７】
2020163540.tif 000009